(57)【特許請求の範囲】
【請求項１】
スキーまたはスノーボードであって、前記スキーまたはスノーボードは、長手方向軸を規定し、走行面と、２つの側部と、当該スキーまたはスノーボードの前記２つの側部の各々に固定される安全エッジとを備え、前記各安全エッジは、側部の全体の長さに渡って途切れることなく延在し、各安全エッジは、当該走行面と実質的に同一平面上にある下面および側面を含み、当該下面および当該側面は、互いに或る角度をなし、氷または雪を含む表面を捉えるための縁部を共に規定し、各安全エッジは、ほぼ平坦な部分と非平坦な部分とを規定するために、その長さに渡って可変の幅を有し、各安全エッジのための前記非平坦な部分は、前記平坦な部分に対して内側に延在する少なくとも２つの窪み部分か、または、前記平坦な部分から離れて外側に延在する少なくとも２つの突出部分を含み、前記非平坦な部分の少なくとも１つは、当該スキーまたはスノーボードの前半分に配設され、前記非平坦な部分の少なくとも１つは、当該スキーまたはスノーボードの後半分に配設される、スキーまたはスノーボード。
【請求項２】
窪みまたは突出（３′，３″）は楕円または湾曲している、請求項１に記載のスキーまたはスノーボード。
【請求項３】
窪みまたは突出（３′，３″）は、スキーまたはスノーボードの両方の側部に対称的に配置される、請求項１に記載のスキーまたはスノーボード。
【請求項４】
窪みまたは突出（３′，３″）は、スキーまたはスノーボードの両方の側部に非対称的に配置される、請求項１に記載のスキーまたはスノーボード。
【請求項５】
少なくとも１つの側部に、異なった長さおよび／または深さの窪みまたは突出（３′，３″）が存在する、請求項１に記載のスキーまたはスノーボード。
【請求項６】
スキーまたはスノーボードを製造するための方法であって、
上面、底面、および２つの側部を有するスキーまたはスノーボードを提供するステップを含み、前記側部は、前記スキーまたはスノーボードのエッジを規定し、そのエッジは、スキーまたはスノーボードの全体の長さに渡って連続して途切れることなく延在し、均一のエッジ厚さを有し、
各前記エッジを削ることによりスキーまたはスノーボードの長さの全体に沿って全体的に延在する安全エッジに部分的に変えるステップとを備え、前記安全エッジは、ほぼ平坦な部分と非平坦な部分とを規定するために、その長さに渡って可変の幅を有し、各安全エッジのための非平坦な部分は平坦な部分に対して内側に延在する少なくとも２つの窪みを
含み、または平坦な部分から外側に延在する少なくとも２つの突出部分を有し、各非平坦な部分は平坦な部分の１つに対して隣接して配置され、非平坦な部分の少なくとも１つはスキーまたはスノーボードの前半分に配設され、前記非平坦な部分の別の１つは、当該スキーまたはスノーボードの後半分に配設される、方法。
【発明の詳細な説明】
【０００１】
この発明は、エッジを備えるスキーおよびスノーボードに関し、特に、クレームの定義に従うスキーおよびスノーボードのための安全エッジに関する。
【０００２】
スキーヤーまたはスノーボーダーにとって、意図しないスリップ、転倒、衝突などの事故の発生はよくあることである。これらの事故はしばしば痛みを伴い、入院につながることもある。そのような事故の理由の１つは、スキーまたはスノーボードのエッジが、雪、氷、人工雪などの表面に対して不十分なグリップを有するということにより、スキーヤーまたはスノーボーダーの不十分な安全確保である。
【０００３】
これらの表面に対するスキーおよびスノーボードのグリップを確保するために、それらは、鋼などの硬質材料からなる特殊なエッジを含む。これらのエッジは、十分な表面のグリップを確保するために定期的に研削されなければならない。表面の種類に従って、この種のエッジはしばしば非常に短期間のうちに鈍くなってしまい、もはや十分なグリップを確保しなくなるという不利益がある。したがって、エッジの研削は、スキーヤーまたはスノーボーダーのそれぞれの安全を確保するために必要となる。これは、氷などの困難な表面について特に重大である。
【０００４】
本発明の目的は、スキーヤーまたはスノーボーダーの安全の向上であり、スキーおよびスノーボードの事故の防止である。この目的は特に、先に述べた不利益を有さない安全エッジを示すことである。この安全エッジは、証明された材料から製造可能であり、保守が簡単であり、かつスキーおよびスノーボード業界の現在の標準と大部分互換性があるものである。
【０００５】
この目的は、クレームの定義に従うこの発明によって達成される。
この発明は、スキーおよびスノーボードのエッジの形が、表面に対するスキーヤーまたはスノーボーダーそれぞれのグリップにとって決定的であるという認識に基づく。この発明は、スキーおよびスノーボードのための安全エッジを示し、当該安全エッジは、スキーまたはスノーボードの種類に従って長さ、幅および高さにおいてさまざまであるように設計され、かつエッジの研削が鈍くなってしまったときでも、雪、氷、人工雪などの表面に対して永続的なグリップを提供する可変の厚さの窪みおよび突出を含む。
【０００６】
この発明は、以下の図面に関連付けてさらに説明される。
図１は、現状に従うスキーまたはスノーボードのためのエッジの部分の断面図を示す。たとえば鋼などの硬質材料からなるエッジ３は、スキーまたはスノーボードの側面限界に取付けられる。この発明の知識をもってすれば、他のエッジ材料も使用可能である。このエッジ３は、スキーまたはスノーボードの上部被覆表面４と下部表面５との間に取付けられる。現状に従うエッジ３は、スキーまたはスノーボードの長さにわたって均一な厚さを含む。
【０００７】
図２から図４は、この発明に従う安全エッジに窪みまたは突出を備える、スキーまたはスノーボード１の例示的実施の形態の部分の上面図を示す。特に、図２に従うスキーまたはスノーボードの第１の実施の形態は、エッジ３および窪み３′の形の安全エッジを示す。図３に従うスキーまたはスノーボードの第２の実施の形態は、エッジ３および突出３″の形の安全エッジを示す。図４に従うスキーまたはスノーボードのさらなる実施の形態は、エッジ３と、窪み３′および突出３″の形の安全エッジとを示す。この発明の知識を持つ専門家は、スキーまたはスノーボードのそのようなエッジおよび安全エッジをさらに自由に設計することが可能である。
【０００８】
図５から図７は、それぞれ図２または図３に従う、安全エッジ上に窪み３′または突出３″を備えるスキーまたはスノーボード１の例示的実施の形態の上面図を示す。可変の厚さの窪み３′および突出３″の形の安全エッジは、スキーまたはスノーボードの種類に従って、長さ、幅および高さに関してさまざまに設計可能である。図２から図７に例示的に示すように、少なくとも１つの安全エッジがスキーまたはスノーボードに付与される。たとえば、可変の厚さの単一の連続的な安全エッジを付与することができ、または、スキーまたはスノーボードの側部に一定の厚さのエッジによって間隔をあけられたいくつかの安全エッジを付与することができる。よって、安全エッジをスキーまたはスノーボードに対称に付与する必要はない。安全エッジは、非対称に付与することもできる、すなわち、それらが互いに対向しないようにそれらをスノーボードの側部に付与することができる。窪みまたは突出は、有利には、楕円形を有し、または湾曲している。窪み３′および突出３″は、たとえば、５ｃｍの長さおよび０．１から０．２ｃｍの深さを有する。スキーまたはスノーボードの２つの側における窪み３′および突出３″の数および配置は異なる。たとえば、図５は、突出３″の非対称的な配置のスキーの一例を示し、スキーの片側には３つの突出３″があり、スキーの反対側には、１つのみの突出３″がある。図６は、スキーの各側に４つの窪み３′がある対称的な構成を有する、対称的な構成の彫刻スキー（carving ski）の一例を示す。図７は、スノーボードの各側に突出３″の対称的な構成を有するスノーボードの一例を示し、前部突出３″、中央部突出３″および後部突出３″は、長さおよび深さが異なる。この発明の知識を有する専門家は、スキーまたはスノーボードのそのようなエッジおよび安全エッジをさらに自由に設計することが可能である。
【０００９】
安全エッジは、雪、氷、人工雪などの表面に対する永続的グリップを提供する。それらは特に、たとえばカーブ、ブレーキなどの、困難なスキーまたはスノーボードの状況におけるグリップを提供する。安全エッジは、エッジが鋭く研削されていないとしても、窪み３′および突出３″を備えるその形のために永続的グリップを提供するが、これは均一の厚さの通常のエッジ３を備えるスキーおよびスノーボードには当てはまらない。
【００１０】
この発明に従う安全エッジ３′，３″を備えるスキーまたはスノーボード１の第１の製造方法は、均一なエッジ厚さを有するスキーまたはスノーボード１を用い、エッジ厚さは、窪み３′または突出３″として局所的に設計される。窪みまたは突出のこの種の設計は、たとえば、レーザなどの一般のフライス盤によって実現される。
【００１１】
この発明に従う安全エッジ３′，３″を備えるスキーまたはスノーボード１のさらなる製造方法において、均一な厚さの領域と、窪み３′または突出３″の形の可変の厚さの領域とを備えるエッジ３，３′，３″が製造され、被覆表面４と下表面５との間に取付けられる。この方法についてやはり、スキーおよびスノーボード業界には通常の機械が使用される。
【００１２】
この発明の知識を持つ専門家は、自由に、これらの２つの指定された製造方法を変化させたり、たとえばそれらを組合せることができる。
【００１３】
これらの安全エッジの保守は、わずかな圧力でエッジに適用される通常の研削盤で行なわれる。有利には、これらの研削盤は、窪みまたは突出を研削するための可動研削ヘッドを含む。
【図面の簡単な説明】
【図１】  現状に従うスキーまたはスノーボードのためのエッジの一部の断面図である。
【図２】  この発明に従う安全エッジに窪みを備えるスキーまたはスノーボードの第１の例示の実施の形態の部分の上面図である。
【図３】  この発明に従う安全エッジに突出を備えるスキーまたはスノーボードの第２の例示の実施の形態の一部の上面図である。
【図４】  この発明に従う安全エッジに窪みおよび突出を備えるスキーまたはスノーボードのさらなる例示の実施の形態の部分の一部の上面図である。
【図５】  図３に従う安全エッジに突出を備えるスキーの第１の例示の実施の形態の上面図である。
【図６】  図２に従う安全エッジに窪みを備えるスキーのさらなる例示の実施の形態の上面図である。
【図７】  図３に従う安全エッジに突出を備えるスノーボードの例示の実施の形態の上面図である。
【図１】
0003973361.tif 000002
【図２】
0003973361.tif 000003
【図３】
0003973361.tif 000004
【図４】
0003973361.tif 000005
【図５】
0003973361.tif 000006
【図６】
0003973361.tif 000007
【図７】
0003973361.tif 000008